(57)【要約】【課題】ラッチヘッドに大きな側圧がかかっても、ラッチヘッドやラッチ開口が傷つきや塑性変形を防止する。【解決手段】ラッチヘッドの上面及び／又は下面に、錠箱のフロント板に平行な平面による断面形状が波形の溝付面を形成すると共に、このラッチヘッドが出没するフロント板４のラッチボルト開口５をラッチヘッドの断面形状とほぼ同じに成形し、ラッチヘッドとフロント板のラッチボルト開口が形状係合をするようにする。【選択図】  図５
2004324114.tif 000002
【特許請求の範囲】
【請求項１】
ラッチヘッドの上面及び／又は下面に、錠箱のフロント板に平行な平面による断面形状が波形の溝付面を形成すると共に、このラッチヘッドが出没するフロント板のラッチボルト開口をラッチヘッドの断面形状とほぼ同じに成形し、ラッチヘッドとフロント板のラッチボルト開口が形状係合をするようにしたことを特徴とするラッチボルト機構。
【請求項２】
ラッチヘッドの上面及び／又は下面の、ラッチヘッドの突出時錠箱のフロント板と整合する部分に、フロント板に平行な平面による断面形状が波形で、フロント板の厚さとほぼ同じ幅の突条を形成すると共に、このラッチヘッドが出没するフロント板のラッチボルト開口を、フロント板と平行で突条を通る平面によるラッチヘッドの断面形状とほぼ同じに成形し、ラッチボルトの突出時、ラッチヘッドとフロント板のラッチボルト開口が形状係合をするようにしたことを特徴とするラッチボルト機構。
【請求項３】
上記溝付面の波形の頂部及び谷部を滑らかな曲面としたことを特徴とする請求項１及び２に記載のラッチボルト機構。
【発明の詳細な説明】
【０００１】
【発明が属する技術分野】
この発明は、ラッチボルト機構に係り、特に、ラッチボルトの頭部にかかる側圧を分散するようにして強度を増したラッチボルト機構に関する。
【０００２】
【従来の技術】
錠前の種類によっては、ラッチボルトがデッドボルトの役割、或いは機能を兼ねているものがある。
【０００３】
例えば図１に示す電気錠は、ラッチボルト１の近傍に制御レバー２を揺動可能に設け、その先端（図１で左端）をラッチヘッド１ａとラッチボード３との間の段部に近接してラッチボルト１の後退を阻止する方向に付勢している。
【０００４】
上記のラッチボルト１は、ラッチヘッド１ａの図１における手前側に傾斜面を形成しており、ラッチヘッド１ａと錠箱のフロント板４に開口した矩形のラッチ開口５との係合、及びラッチ軸６とガイド枠７との係合により、フロント板４に垂直な前後方向に移動可能に案内されると共に、ラッチボルトばね８の弾力により、フロント板４から突出する方向の前方に付勢されている。
【０００５】
また、上記制御レバー２は、中間レバー９及びリトラクター１１を介して、図示しない扉のハンドルやノブに連結されると共に、本発明と関係がないため説明を省略する制御機構１２を介して、ソレノイド等の電磁アクチュエータ１３にも連結されている。
【０００６】
そして、錠前が電気錠によって施錠されているときには、制御レバー２が図１に示すように角度位置にあるから、図示しないノブやハンドルによりリトラクター１１を時計方向に回動させても、ラッチヘッド１ａが制御レバー２の先端に衝止されるので、ラッチボルト１を錠箱内に引込ませることができず、したがって扉を開けることができない。
【０００７】
【発明が解決しようとする課題】
上記のように構成された電気錠のラッチボルトは、施錠中はデッドボルトの役割を果たすので、通常のラッチボルトよりも大きな側圧がかかることがある。
【０００８】
例えば、ドアを開けようとして、ノブやハンドルを介して扉を開放方向に無理に押したり引いたりすると、ラッチヘッド１ａの図１における裏側の面がフロント板４のラッチ開口５の開口縁に強く押し付けられ、或いは激しく衝突する結果、ラッチヘッド１ａが剪断破壊されないにしても、ラッチ開口５の開口縁及び／又はラッチヘッド１ａが傷つき、或いは塑性変形してガタガタになる、という不都合がある。
【０００９】
この発明は、ラッチヘッドに大きな側圧がかかったとしても、ラッチヘッドやラッチ開口が傷ついたり塑性変形したりしないラッチ機構を提供し、持って上記した不都合を解消することを目的としている。
【００１０】
【課題を解決するための手段】
上記の目的を達成するため、請求項１に記載の発明は、ラッチヘッドの上面及び／又は下面に、錠箱のフロント板に平行な平面による断面形状が波形の溝付面を形成すると共に、このラッチヘッドが出没するフロント板のラッチボルト開口をラッチヘッドの断面形状とほぼ同じに成形し、ラッチヘッドとフロント板のラッチボルト開口が形状係合をするようにしたことを特徴とする。
【００１１】
また、請求項２に記載の発明は、ラッチヘッドの上面及び／又は下面の、ラッチヘッドの突出時錠箱のフロント板と整合する部分に、フロント板に平行な平面による断面形状が波形で、フロント板の厚さとほぼ同じ幅の突条を形成すると共に、このラッチヘッドが出没するフロント板のラッチボルト開口を、フロント板と平行で突条を通る平面によるラッチヘッドの断面形状とほぼ同じに成形し、ラッチボルトの突出時、ラッチヘッドとフロント板のラッチボルト開口が形状係合をするようにしたことを特徴とする。
【００１２】
【実施例】
以下この発明の一実施例を図２乃至図７を参照して説明する。
図２乃至図４は請求項１に記載の発明の一実施例を示し、これらの図において符号１５はラッチヘッド１ａの上面を、符号１６は下面を夫々示す。
【００１３】
なお、このラッチヘッドの上面、下面の区別は絶対的なものではなく、扉の左右勝手に応じて傾斜面１４を図２で上下反対にした場合には、上面及び下面は位置を交代することになる。
【００１４】
このラッチヘッド１ａの上面１５及び／又は下面１６（図示の実施例では上面及び下面）には、フロント板４（図１参照）に平行な平面による断面形状が波形の溝付面１７が形成されている。
【００１５】
図示の実施例における溝付面１７は、ラッチヘッドの上面１５及び／又は下面１６に水平方向に延在する溝を複数条形成し、これらの溝の底部、及び溝と溝の間の波形の頂部となる部分を滑らかな曲面としたものである。
【００１６】
これに対応して、図５に示すように、フロント板４のラッチボルト開口５はラッチヘッドの断面形状とほぼ同じに成形され、この発明によるラッチボルト１を錠箱に装着したときには、フロント板４と平行な平面内において、ラッチヘッド１ａとフロント板のラッチボルト開口５とが形状係合をする。
【００１７】
上記のように構成された請求項１に記載の発明の一実施例によるラッチ機構は、通常のラッチボルトと同様に、ノブやハンドルの操作によってフロント板から出没してその機能を呈する。
【００１８】
一方、ラッチボルト１に通常は水平方向の側圧が作用した場合には、ラッチボルト１は側圧印加方向に少し移動し、波形の斜面同士が複数箇所で当接することになる。
【００１９】
したがって、ラッチボルト１にかかる側圧が過大なものであっても、その側圧は複数箇所に分散されて坦持されるので、ラッチボルトが破壊されたりラッチボルト開口が塑性変形したりすることはない。
【００２０】
図６及び図７は請求項２に記載の発明の一実施例を示し、これらの図において符号１８は突条を示し、この突条１８は、ラッチヘッド１ａの上面１５及び／又は下面１６の、ラッチヘッド１ａの突出時錠箱のフロント板４と整合する部分に一体に突設された細長い部分である。
【００２１】
更に詳細に説明すると、この突条１８は、フロント板４に平行な平面による断面形状が波形で、フロント板４の厚さとほぼ同じ幅の突条である。
【００２２】
一方、請求項１に記載の発明と同様に、或いは図５に示すように、このラッチヘッド１ａが出没するフロント板のラッチボルト開口５を、フロント板と平行で突条を通る平面によるラッチヘッドの断面形状とほぼ同じに成形し、ラッチボルトの突出時、ラッチヘッド１ａの突条１８が形成された部分とフロント板のラッチボルト開口５とが形状係合をするように設定されている。
【００２３】
換言すれば、図６及び図７に示すラッチヘッド１ａは、図３及び図４に示すラッチヘッド１ａの溝付面１７を形成した上面及び／又は下面（図示の実施例では上面及び下面）を、ラッチヘッド突出時フロント板４と整合する部分を除いて平滑に削り出し、この平面部を新たな上面１５及び／又は下面１６としたものである。
【００２４】
この場合、新たな上面１５及び／又は下面１６は、フロント板のラッチ開口５の上部及び／又は下部開口端縁の内側突出部分に図示の実施例では夫々２点で摺接するわけである。
【００２５】
上記のように構成された請求項２に記載の発明によるラッチボルト機構は、ラッチヘッドに側圧がかかる突出時には突条１８とラッチ開口５とが形状係合をするから、ラッチボルト１にかかる側圧が過大なものであっても、その側圧は複数箇所に分散されて坦持されるので、ラッチボルトが破壊されたりラッチボルト開口が塑性変形したりすることはない。
【００２６】
また、ラッチヘッドの上面及び／又は下面はラッチヘッドの突出量に拘わらず平面部のみが見えるから、従来のラッチヘッドと同様の外観を呈し、見栄えが良い。
【００２７】
更にまた、ラッチヘッドの上面及び／又は下面はラッチ開口端縁と点で、或いは短い線分で接触するから、摩擦抵抗が小さくて作動が円滑である。
【００２８】
【発明の効果】
以上の説明から明らかなように、この発明は、ラッチヘッドの上面及び／又は下面に、錠箱のフロント板に平行な平面による断面形状が波形の溝付面を形成すると共に、このラッチヘッドが出没するフロント板のラッチボルト開口をラッチヘッドの断面形状とほぼ同じに成形し、ラッチヘッドとフロント板のラッチボルト開口が形状係合をするようにしたので、ラッチボルトに過大な側圧が印加された場合でもその側圧は複数箇所に分散されて坦持されることになり、ラッチボルトが破壊されたり、フロント板のラッチボルト開口が塑性変形したりすることを完全に防止することができる、という所期の効果を奏する。
【図面の簡単な説明】
【図１】デッドボルトを兼ねるラッチボルトを有する電気錠の要部側面図。
【図２】請求項１に記載の発明によるラッチボルト機構のラッチボルトの断面図。
【図３】請求項１に記載の発明によるラッチボルト機構のラッチボルトの側面図。
【図４】請求項１に記載の発明によるラッチボルト機構のラッチボルトの正面図。
【図５】請求項１に記載の発明によるラッチボルト機構のフロント板の正面図。
【図６】請求項２に記載の発明によるラッチボルト機構のラッチボルトの平面図。
【図７】請求項２に記載の発明によるラッチボルト機構のラッチボルトの正面図。
【符号の説明】
１  ラッチボルト
１ａ  ラッチヘッド
２  制御レバー
３  ラッチボード
４  フロント板
５  ラッチ開口
６  ラッチ軸
１４  傾斜面
１５  上面
１６  下面
１７  溝付面
１８  突条
【図１】
2004324114.tif 000003
【図２】
2004324114.tif 000004
【図３】
2004324114.tif 000005
【図４】
2004324114.tif 000006
【図５】
2004324114.tif 000007
【図６】
2004324114.tif 000008
【図７】
2004324114.tif 000009